(57)【要約】  【課題】  電力の消費とグロープラグの劣化を抑制することができる多気筒エンジンを提供する。  【解決手段】  各気筒１・２・３・４にそれぞれ設けられたグロープラグ１ａ・２ａ・３ａ・４ａと、グロープラグ通電操作装置５とを備え、グロープラグ通電操作装置５のグロープラグ通電操作に基づいて、グロープラグ１ａ・２ａ・３ａ・４ａに通電が行われるように構成された、多気筒エンジンにおいて、エンジン周囲の気温またはエンジン温度を検出する温度検出装置６と、制御装置７とを備え、温度検出装置６に制御装置７を介してグロープラグ１ａ・２ａ・３ａ・４ａが連携され、温度検出装置６で検出された検出温度が所定温度を超えると、グロープラグ通電操作装置５のグロープラグ通電操作が行われても、所定のグロープラグへの通電が休止され、検出温度が高いほど、通電が休止されるグロープラグの本数が多くなるように構成されている。【選択図】    図１
2014066153.tif 000002
【特許請求の範囲】
【請求項１】
各気筒(１)(２)(３)(４)にそれぞれ設けられたグロープラグ(１ａ)(２ａ)(３ａ)(４ａ)と、グロープラグ通電操作装置(５)とを備え、グロープラグ通電操作装置(５)のグロープラグ通電操作に基づいて、グロープラグ(１ａ)(２ａ)(３ａ)(４ａ)に通電が行われるように構成された、多気筒エンジンにおいて、
エンジン周囲の気温またはエンジン温度を検出する温度検出装置(６)と、制御装置(７)とを備え、温度検出装置(６)に制御装置(７)を介してグロープラグ(１ａ)(２ａ)(３ａ)(４ａ)が連携され、
温度検出装置(６)で検出された検出温度が所定温度を超えると、グロープラグ通電操作装置(５)のグロープラグ通電操作が行われても、所定のグロープラグへの通電が休止され、検出温度が高いほど、通電が休止されるグロープラグの本数が多くなるように構成されている、ことを特徴とする多気筒エンジン。
【請求項２】
請求項１に記載した多気筒エンジンにおいて、
各気筒(１)(２)(３)(４)の周囲に冷却水(８)を通過させるシリンダジャケット(９)を備え、グロープラグ(１ａ)(２ａ)(３ａ)(４ａ)は、シリンダジャケット(９)の冷却水入口(１０)から遠い気筒のものから優先的に通電が休止されるように構成されている、ことを特徴とする多気筒エンジン。
【発明の詳細な説明】
【技術分野】
【０００１】
本発明は、多気筒エンジンに関し、詳しくは、電力の消費とグロープラグの劣化を抑制することができる多気筒エンジンに関する。
【背景技術】
【０００２】
従来、各気筒にそれぞれ設けられたグロープラグと、グロープラグ通電操作装置とを備え、グロープラグ通電操作装置の通電操作に基づいて、グロープラグに通電が行われるように構成された、多気筒エンジンがある(例えば、特許文献１参照)。
この種の多気筒エンジンによれば、グロープラグの発熱で燃焼室を予熱し、エンジンの冷間始動をスムーズに行うことができる利点がある。
しかし、この従来技術では、エンジン周囲の気温やエンジン温度の差異に拘わらず、グロープラグ通電操作装置の通電操作に基づいて、全てのグロープラグに通電が行われるため、問題がある。
【先行技術文献】
【特許文献】
【０００３】
【特許文献１】特開２００３−９０２５９号公報(図１参照)
【発明の概要】
【発明が解決しようとする課題】
【０００４】
《問題》  電力が無駄に消費される場合があり、グロープラグも劣化しやすい。
エンジン周囲の気温やエンジン温度の差異に拘わらず、グロープラグ通電操作装置の通電操作に基づいて、全てのグロープラグに通電が行われるため、電力が無駄に消費される場合があり、グロープラグも劣化しやすい。
【０００５】
本発明の課題は、電力の消費とグロープラグの劣化を抑制することができる多気筒エンジンを提供することにある。
【課題を解決するための手段】
【０００６】
請求項１に係る発明の発明特定事項は、次の通りである。
図１に例示するように、各気筒(１)(２)(３)(４)にそれぞれ設けられたグロープラグ(１ａ)(２ａ)(３ａ)(４ａ)と、グロープラグ通電操作装置(５)とを備え、グロープラグ通電操作装置(５)のグロープラグ通電操作に基づいて、グロープラグ(１ａ)(２ａ)(３ａ)(４ａ)に通電が行われるようにした多気筒エンジンにおいて、
エンジン周囲の気温またはエンジン温度を検出する温度検出装置(６)と、制御装置(７)とを備え、温度検出装置(６)に制御装置(７)を介してグロープラグ(１ａ)(２ａ)(３ａ)(４ａ)が連携され、
図２に例示するように、温度検出装置(６)で検出された検出温度が所定温度を超えると、所定のグロープラグへの通電が休止され、検出温度が高いほど、通電が休止されるグロープラグの本数が多くなるように構成されている、ことを特徴とする多気筒エンジン。
【発明の効果】
【０００７】
(請求項１に係る発明)
請求項１に係る発明は、次の効果を奏する。
《効果》  電力の消費とグロープラグの劣化を抑制することができる。
図２に例示するように、温度検出装置(６)で検出された検出温度が所定温度を超えると、グロープラグ通電操作装置(５)のグロープラグ通電操作が行われても、所定のグロープラグへの通電が休止され、検出温度が高いほど、通電が休止されるグロープラグの本数が多くなるように構成されているので、電力の消費とグロープラグの劣化を抑制することができる。
【０００８】
《効果》  冷間始動性能に支障は生じない。
図２に例示するように、検出温度が低いほど、通電が休止されるグロープラグの本数が少なくなるので、冷間始動性能に支障は生じない。
【０００９】
(請求項２に係る発明)
請求項２に係る発明は、請求項１に係る発明の効果に加え、次の効果を奏する。
《効果》  始動性能が低下しにくい。
図１、図２に例示するように、各気筒(１)(２)(３)(４)の周囲に冷却水(８)を通過させるシリンダジャケット(９)を備え、グロープラグ(１ａ)(２ａ)(３ａ)(４ａ)は、シリンダジャケット(９)の冷却水入口(１０)から遠い気筒のものから優先的に通電が休止されるように構成されているので、冷却水(８)で冷却されにくい気筒から優先して通電が休止され、始動性能が低下しにくい。
【図面の簡単な説明】
【００１０】
【図１】本発明の実施形態に係る多気筒エンジンの模式図である。
【図２】図１のエンジンの温度とグロープラグへの通電を休止する気筒の関係を示す表である。
【発明を実施するための形態】
【００１１】
図１〜図２は本発明の実施形態に係る多気筒エンジンを説明する図であり、この実施形態では、立形水冷の直列４気筒ディーゼルエンジンについて説明する。
【００１２】
図１に示すように、各気筒(１)(２)(３)(４)にそれぞれ設けられたグロープラグ(１ａ)(２ａ)(３ａ)(４ａ)と、グロープラグ通電操作装置(５)とを備え、グロープラグ通電操作装置(５)のグロープラグ通電操作に基づいて、グロープラグ(１ａ)(２ａ)(３ａ)(４ａ)に通電が行われるように構成されている。
このエンジンの気筒(１)(２)(３)(４)の数は４本である。
【００１３】
図１に示すように、キースイッチ(１１)のＯＦＦ位置(１２)からグロープラグ通電位置(１３)にキーが切り替えられると、キー保持時間中、バッテリ(１７)からグロープラグ(９)に通電がなされ、エンジン始動前に各気筒(１)(２)(３)(４)の燃焼室を予熱することができる。キースイッチ(１１)のグロープラグ通電位置(１３)にキーが投入されると、ランプタイマ(１４)で所定時間だけグロー指示ランプ(１５)が点灯し、グロー指示ランプ(１５)の点灯時間をグロープラグ通電位置(１３)でのキー保持時間の目安とすることができる。キースイッチ(１１)のスタータ駆動位置(１６)にキーが保持されている間も、グロープラグに通電がなされる。
すなわち、グロープラグ通電操作装置(５)は、キースイッチ(１１)であり、グロープラグ通電操作は、キースイッチ(１１)のグロープラグ通電位置(１３)とスタータ駆動位置(１６)へのキーの切り替え操作である。
【００１４】
図１に示すように、キースイッチ(１１)のＯＮ位置(１８)にキーが投入されている間は、バッテリ(１７)から油圧スイッチ(１９)や室内灯(２０)等の電気部品(２１)への通電がなされる。なお、図１中の符号(２２)は油圧警告灯である。
図１に示すように、キースイッチ(１１)のＯＮ位置(１８)からスタータ駆動位置(１６)にキーが切り替えられると、バッテリ(１７)からスタータモータ(２３)に通電がなされ、スタータモータ(２３)が駆動され、クランキングによりエンジンが始動される。スタータ駆動位置(１６)に投入されたキーは、手を離すと、ＯＮ位置(１８)に戻る。
キースイッチ(１１)のＯＮ位置(１８)からＯＦＦ位置(１２)にキーが切り替えられると、エンジンが停止する。キースイッチ(１１)のＯＦＦ位置(１２)にキーが投入されている場合には、バッテリ(１７)から電気部品(２１)への通電もなされない。
【００１５】
図１に示すように、エンジン周囲の気温を検出する温度検出装置(６)と、制御装置(７)とを備え、温度検出装置(６)に制御装置(７)を介してグロープラグ(１ａ)(２ａ)(３ａ)(４ａ)が連携されている。
図２に示すように、温度検出装置(６)で検出された検出温度が所定温度を超えると、グロープラグ通電操作装置(５)のグロープラグ通電操作が行われても、所定のグロープラグへの通電が休止され、検出温度が高いほど、通電が休止されるグロープラグの本数が多くなるように構成されている。
温度検出装置(６)では、エンジン周囲の気温を検出することに代えて、エンジン温度を検出するようにしてもよい。
【００１６】
図１、図２に示すように、各気筒(１)(２)(３)(４)の周囲に冷却水(８)を通過させるシリンダジャケット(９)を備え、グロープラグ(１ａ)(２ａ)(３ａ)(４ａ)は、シリンダジャケット(９)の冷却水入口(１０)から遠い気筒のものから優先的に通電が休止されるように構成されている。
【００１７】
制御装置(７)はエンジンＥＣＵである。エンジンＥＣＵはエンジン電子制御ユニットの略称である。
各気筒(１)(２)(３)(４)のグロープラグ(１ａ)(２ａ)(３ａ)(４ａ)の給電回路にはそれぞれ休止スイッチ(１ｂ)(２ｂ)(３ｂ)(４ｂ)が設けられ、この休止スイッチ(１ｂ)(２ｂ)(３ｂ)(４ｂ)が制御装置(７)に連携され、制御装置(７)で各休止スイッチ(１ｂ)(２ｂ)(３ｂ)(４ｂ)が開閉され、各グロープラグ(１ａ)(２ａ)(３ａ)(４ａ)への通電と通電の休止が実施される。
【００１８】
図２に示すように、エンジン周囲の気温が−５°Ｃ以下である場合には、グロープラグへの通電は休止されず、−５°Ｃを超える場合には、所定のグロープラグへの通電が休止される。
すなわち、グロープラグ通電装置がなされても、−５°Ｃ以下の場合には、グロープラグへの通電は休止されず、−５°Ｃ超えで０°Ｃ未満の場合には、シリンダジャケット(９)の冷却水入口(１０)から最も遠い第４気筒(４)のグロープラグ(４ａ)への通電が休止され、０°Ｃ超えで５°Ｃ以下の場合には、第４気筒(４)と次に冷却水入口(１０)から遠い第３気筒(３)のグロープラグ(４ａ)(３ａ)への通電が休止され、５°Ｃ超えで１０°Ｃ以下の場合には、第４気筒(４)と第３気筒(３)と次に冷却水入口(１０)から遠い第２気筒(２)のグロープラグ(４ａ)(３ａ)への通電が休止され、１０°Ｃ超えの場合には、全ての気筒(１)(２)(３)(４)へのグロープラグ(１ａ)(２ａ)(３ａ)(４ａ)が休止される。
【００１９】
このため、グロープラグ通電装置がなされると、−５°Ｃ以下の場合には、全ての気筒(１)(２)(３)(４)のグロープラグ(１ａ)(２ａ)(３ａ)(４ａ)に通電がなされ、−５°Ｃ超えで０°Ｃ未満の場合には、冷却水入口(１０)に近い第１気筒(１)、第２気筒(２)、第３気筒(３)のグロープラグ(１ａ)(２ａ)(３ａ)への通電がなされ、０°Ｃ超えで５°Ｃ以下の場合には、冷却水入口(１０)に近い第１気筒(１)と第２気筒(２)のグロープラグ(１ａ)(２ａ)の通電がなされ、５°Ｃ超えで１０°Ｃ以下の場合には、冷却水入口(１０)に最も近い第１気筒(１)のみのグロープラグ(１ａ)への通電がなされ、１０°Ｃ超えの場合には、全てのグロープラグへの通電がなされない。
【符号の説明】
【００２０】
(１) 第１気筒
(１ａ) グロープラグ
(２) 第２気筒
(２ａ) グロープラグ
(３) 第３気筒
(３ａ) グロープラグ
(４) 第４気筒
(４ａ) グロープラグ
(５) グロープラグ通電操作装置
(６) 温度検出装置
(７) 制御装置
(８) 冷却水
(９) シリンダジャケット
(１０) 冷却水入口
【図１】
2014066153.tif 000003
【図２】
2014066153.tif 000004